(57)【特許請求の範囲】
【請求項１】
上り信号出力側の信号入出力端子と、下り信号出力側の信号入出力端子と、上り信号と下り信号とを分ける上り信号出力側の分波フィルタ及び下り信号出力側の分波フィルタと、上り信号用増幅ユニットと、下り信号用増幅ユニットとを有し、下り信号が、前記上り信号出力側の信号入出力端子より入力され、前記上り信号出力側の分波フィルタによって前記下り信号用増幅ユニットへ送られ、前記下り信号用増幅ユニットによって増幅され、上り信号が、前記下り信号出力側の信号入出力端子より入力され、前記下り信号出力側の分波フィルタによって前記上り信号用増幅ユニットへ送られ、前記上り信号用増幅ユニットによって増幅されるように構成された双方向増幅器において、
スイッチと、このスイッチに接続された測定端子とを有し、
前記スイッチは、分岐側接点と主経路側接点とを有し、前記上り信号用増幅ユニットと上り信号出力側の分波フィルタとの間に配置され、前記上り信号用増幅ユニットによって増幅された上り信号を、前記上り信号出力側の信号入出力端子から出力させるとともに、当該増幅された上り信号の一部を前記分岐側接点を介して前記測定端子から分岐出力させるか、前記測定端子と前記上り信号用増幅ユニットとを前記主経路側接点を介して接続することにより、前記上り信号用増幅ユニットによって増幅された上り信号を前記測定端子から出力させるかを切り換えることができるように構成されていることを特徴とする双方向増幅器。
【請求項２】
上り信号出力側の信号入出力端子と、下り信号出力側の信号入出力端子と、上り信号と下り信号とを分ける上り信号出力側の分波フィルタ及び下り信号出力側の分波フィルタと、上り信号用増幅ユニットと、下り信号用増幅ユニットとを有し、下り信号が、前記上り信号出力側の信号入出力端子より入力され、前記上り信号出力側の分波フィルタによって前記下り信号用増幅ユニットへ送られ、前記下り信号用増幅ユニットによって増幅され、上り信号が、前記下り信号出力側の信号入出力端子より入力され、前記下り信号出力側の分波フィルタによって前記上り信号用増幅ユニットへ送られ、前記上り信号用増幅ユニットによって増幅されるように構成された双方向増幅器において、
スイッチと、このスイッチに接続された測定端子とを有し、
前記スイッチは、分岐側接点と主経路側接点とを有し、前記下り信号用増幅ユニットと下り信号出力側の分波フィルタとの間に配置され、前記下り信号用増幅ユニットによって増幅された下り信号を、前記下り信号出力側の信号入出力端子から出力させるとともに、当該増幅された下り信号の一部を前記分岐側接点を介して前記測定端子から分岐出力させるか、前記測定端子と前記下り信号用増幅ユニットとを前記主経路側接点を介して接続することにより、前記下り信号用増幅ユニットによって増幅された下り信号を前記測定端子から出力させるかを切り換えることができるように構成されていることを特徴とする双方向増幅器。
【発明の詳細な説明】
【０００１】
【発明の属する技術分野】
本発明は、伝送される信号の損失を補償するために伝送路上に配置される増幅器に関し、特に、ＣＡＴＶ放送等、双方向通信が実施される通信システムにおいて、上り信号に含まれる流合雑音の成分等を測定できるように構成した双方向増幅器に関する。
【０００２】
【従来の技術】
一般に、双方向通信が実施されるＣＡＴＶ放送システム等の伝送路上には、図３に示すような増幅器２１が設置され、伝送路上における下り信号（放送信号等）及び上り信号の減衰量が補償されるようになっている。
【０００３】
尚、図３において２２ａは、上り信号出力側の信号入出力端子、２２ｂは、下り信号出力側の信号入出力端子、２３は、上り信号と下り信号とを分ける分波フィルタ（上り信号出力側の分波フィルタ２３ａ、下り信号出力側の分波フィルタ２３ｂ）である。また、２４は、上り信号用の増幅ユニット、２５は、下り信号用の増幅ユニットである。
【０００４】
この増幅器２１においては、下り信号は、上り信号出力側の信号入出力端子２２ａより入力され、分波フィルタ２３ａによって下り信号用増幅ユニット２５へと送られ、この下り信号用増幅ユニット２５によって増幅された後、下り信号出力側の信号入出力端子２２ｂより出力されることになり、一方、上り信号は、下り信号出力側の信号入出力端子２２ｂより入力され、分波フィルタ２３ｂによって上り信号用増幅ユニット２４へと送られ、この上り信号用増幅ユニット２４によって増幅された後、上り信号出力側の信号入出力端子２２ａより出力されることになる。
【０００５】
尚、この種の増幅器２１には、信号の伝送状態等をモニタできるように、伝送される信号の一部を取り出して分岐出力するモニタ端子２６（上り信号用モニタ端子２６ａ、下り信号用モニタ端子２６ｂ）が設けられている。
【０００６】
【発明が解決しようとする課題】
ところで、双方向通信が実施されるＣＡＴＶ放送システムにおいては、加入者数が増えると、流合雑音が増大し、通信障害が発生してしまうという問題がある。このため、システムの管理者は、伝送路上に挿入された各増幅器毎に流合雑音の成分やその大きさを測定し、通信障害等の問題に対処する必要がある。
【０００７】
図３に示したような増幅器２１において、流合雑音の成分等を測定する場合、従来は、測定器を上り信号用のモニタ端子２６ａに接続して行っていた。しかしながら、モニタ端子２６ａは、主経路による信号の伝送に影響を与えない範囲で、伝送信号の一部を分岐出力するものであるため、そもそも出力レベルが低く、また、結合損失も生じるため、この方法による場合、流合雑音の成分等を充分に測定できないことがある。
【０００８】
そこで、モニタ端子２６ａと測定器の間に他の増幅器を介在させて、モニタ端子２６ａから出力された信号を改めて増幅させてから測定器に入力する、という方法も考えられるが、別途増幅器が必要になり、経済性、作業性の点で問題がある。
【０００９】
また、上り信号出力側の信号入出力端子２２ａに接続されている伝送ケーブルを一時的に取り外し、測定器をこの上り信号出力側の信号入出力端子２２ａに接続することにより、増幅ユニット２４によって増幅された上り信号を測定器に入力する、という方法も考えられる。しかしこの場合、伝送ケーブルが取り外されることによって、下り信号が停波してしまうという問題がある。
【００１０】
本発明は、上記のような従来技術の問題点を解消すべくなされたものであって、他の増幅器を別途用意する必要がなく、また、下り信号（或いは上り信号）を停波させることなく、充分なレベルにて上り信号（或いは下り信号）を出力させることができる測定端子を備え、この測定端子に測定器を接続することにより、流合雑音の成分等を、実際の運用時と同じレベルで測定することができる双方向増幅器を提供することを目的とする。
【００１２】
【課題を解決するための手段】
本発明の請求項１に係る双方向増幅器は、上り信号出力側の信号入出力端子と、下り信号出力側の信号入出力端子と、上り信号と下り信号とを分ける上り信号出力側の分波フィルタ及び下り信号出力側の分波フィルタと、上り信号用増幅ユニットと、下り信号用増幅ユニットとを有し、下り信号が、前記上り信号出力側の信号入出力端子より入力され、前記上り信号出力側の分波フィルタによって前記下り信号用増幅ユニットへ送られ、前記下り信号用増幅ユニットによって増幅され、上り信号が、前記下り信号出力側の信号入出力端子より入力され、前記下り信号出力側の分波フィルタによって前記上り信号用増幅ユニットへ送られ、前記上り信号用増幅ユニットによって増幅されるように構成され、スイッチと、このスイッチに接続された測定端子とを有し、前記スイッチが、分岐側接点と主経路側接点とを有し、前記上り信号用増幅ユニットと上り信号出力側の分波フィルタとの間に配置され、前記上り信号用増幅ユニットによって増幅された上り信号を、前記上り信号出力側の信号入出力端子から出力させるとともに、当該増幅された上り信号の一部を前記分岐側接点を介して前記測定端子から分岐出力させるか（パスモードとするか）、前記測定端子と前記上り信号用増幅ユニットとを前記主経路側接点を介して接続することにより、前記上り信号用増幅ユニットによって増幅された上り信号を前記測定端子から出力させるか（測定モードとするか）を切り換えることができるように構成されていることを特徴としている。
また、本発明の請求項２に係る双方向増幅器は、前記スイッチが、分岐側接点と主経路側接点とを有し、前記下り信号用増幅ユニットと下り信号出力側の分波フィルタとの間に配置され、前記下り信号用増幅ユニットによって増幅された下り信号を、前記下り信号出力側の信号入出力端子から出力させるとともに、当該増幅された下り信号の一部を前記分岐側接点を介して前記測定端子から分岐出力させるか（パスモードとするか）、前記測定端子と前記下り信号用増幅ユニットとを前記主経路側接点を介して接続することにより、前記下り信号用増幅ユニットによって増幅された下り信号を前記測定端子から出力させるか（測定モードとするか）を切り換えることができるように構成されていることを特徴としている。
【００１３】
【発明の実施の形態】
以下、図面を参照しながら本発明の実施形態について説明する。図１は、本発明の第１の実施形態に係る双方向増幅器１の構成図である。この図において２ａは、上り信号出力側の信号入出力端子、２ｂは、下り信号出力側の信号入出力端子、３ａは、上り信号出力側の分波フィルタ、３ｂは、下り信号出力側の分波フィルタである。また、４は、上り信号用の増幅ユニット、５は、下り信号用の増幅ユニットである。
【００１４】
７は、この増幅器１を「パスモード」とするか、「測定モード」とするかを切り換えるためのスイッチであり、図示されているように、上り信号用増幅ユニット４と、上り信号出力側の分波フィルタ３ａとの間に配置されている。尚、図１は、スイッチ７が「パスモード」となっている状態を示している。
【００１５】
増幅器１が「パスモード」となっている場合、図３に示した従来の増幅器２１と同様に、下り信号出力側の信号入出力端子２ｂより入力された上り信号は、分波フィルタ３ｂによって上り信号用増幅ユニット４へと送られ、この上り信号用増幅ユニット４によって増幅された後、上り信号出力側の信号入出力端子２ａより出力されることになる。
【００１６】
そしてこの状態から、スイッチ７の接片７ａ，７ｂが測定端子８側にスライドし、測定端子８と上り信号用増幅ユニット４とが接続されると、この増幅器１は、「パスモード」から「測定モード」へと切り換わることになる。
【００１７】
増幅器１が「測定モード」となっている場合、下り信号出力側の信号入出力端子２ｂより入力された上り信号は、分波フィルタ３ｂによって上り信号用増幅ユニット４へと送られ、この上り信号用増幅ユニット４によって増幅された後、測定端子８より出力されることになる。
【００１８】
従って、この増幅器１が「測定モード」となっている状態において、測定端子８に測定器を接続した場合、上り信号用増幅ユニット４によって所定レベルにまで増幅された上り信号を測定器に入力することができ、その結果、流合雑音の成分等を充分なレベルにて測定することが可能となる。
【００１９】
一方、上り信号出力側の信号入出力端子２ａより入力された下り信号は、増幅器１が「パスモード」となっているか、「測定モード」となっているかに拘わらず、分波フィルタ３ａによって下り信号用増幅ユニット５へと送られ、この下り信号用増幅ユニット５によって増幅された後、下り信号出力側の信号入出力端子２ｂより出力されることになる。従って、この増幅器１においては、下り信号を停波させることなく、上り信号の測定を行うことができる。
【００２０】
次に、本発明の第２の実施形態について説明する。図２は、本発明の第２の実施形態に係る双方向増幅器１の構成図であり、この図は、本実施形態に係る増幅器１が「パスモード」となっている状態を示している。即ち、下り信号出力側の信号入出力端子２ｂより入力された上り信号は、分波フィルタ３ｂによって上り信号用増幅ユニット４へと送られ、この上り信号用増幅ユニット４によって増幅された後、スイッチ７の接片７ａを経て、上り信号出力側の信号入出力端子２ａより出力されることになる。
【００２１】
但し、この状態にある場合、上り信号用増幅ユニット４によって増幅された上り信号の一部が、分岐線９、及び、分岐側接点１０を介して測定端子８から分岐出力されるようになっている。この場合に測定端子８から分岐出力される上り信号は、従来の増幅器２１において上り信号用モニタ端子２６ａ（図３参照）から出力される上り信号、及び、第１の実施形態に係る増幅器１の上り信号用モニタ端子６ａ（図１参照）から出力される上り信号と、理論上、同一条件下で出力されることになる。つまり、本実施形態においては、増幅器１が「パスモード」にある場合、測定端子８は、「上り信号用モニタ端子」として機能する。
【００２２】
そして、図２に示した状態から、スイッチ７の接片７ａ，７ｂがスライドし、測定端子８と上り信号用増幅ユニット４とが主経路側接点１１を介して接続されると、この増幅器１は、「パスモード」から「測定モード」へと切り換わることになる。
【００２３】
増幅器１が「測定モード」となっている場合、下り信号出力側の信号入出力端子２ｂより入力された上り信号は、分波フィルタ３ｂによって上り信号用増幅ユニット４へと送られ、この上り信号用増幅ユニット４によって増幅された後、主経路側接点１１を経て、測定端子８より出力されることになる。
【００２４】
従って、この増幅器１が「測定モード」となっている状態において、測定端子８に測定器を接続した場合、上り信号用増幅ユニット４によって所定レベルにまで増幅された上り信号を測定器に入力することができ、その結果、流合雑音の成分等を充分なレベルにて測定することが可能となる。
【００２５】
このように、本実施形態における増幅器１は、「測定モード」となっている状態においては、第１の実施形態における増幅器１と同様の効果を期待でき、更に、「パスモード」となっている状態においては、測定端子８を上り信号用モニタ端子としても機能させることができる。つまり、物理的には一つである端子に、二種類の端子としての機能を兼ね備えさせることができる。
【００２６】
その結果、第１の実施形態における増幅器１のように、測定端子８のほかに、上り信号用モニタ端子６ａを別個に設ける必要がなく、少ない要素にて装置を構成することができる。
【００２７】
尚、第１の実施形態、及び、第２の実施形態においては、「パスモード」とするか、「測定モード」とするかを切り換えるためのスイッチ７を、上り信号用増幅ユニット４と、上り信号出力側の分波フィルタ３ａとの間に配置した例を示したが、必ずしもこの形態に限定されるものではなく、スイッチ７を、下り信号用増幅ユニット５と、下り信号出力側の分波フィルタ３ｂとの間に配置することもできる。この場合、上り信号を停波させることなく、下り信号を充分なレベルにて測定することができる。
【００２８】
【発明の効果】
以上に説明したように、本発明に係る双方向増幅器は、他の増幅器を別途用意することなく、また、下り信号（又は、上り信号）を停波させることなく、充分なレベルにて上り信号（又は、下り信号）を出力させることができる測定端子を備えており、この測定端子に測定器を接続することにより、上り信号（又は、下り信号）に含まれる流合雑音の成分等を、実際の運用時と同じレベルで測定することができる。
【００２９】
また、スイッチをパスモードに設定した場合に、上り信号用増幅ユニット（又は、下り信号用増幅ユニット）によって増幅された上り信号（又は、下り信号）が信号入出力端子から出力されるだけでなく、その一部が、測定端子から分岐出力されるように構成した場合には、測定端子を上り信号用モニタ端子（又は、下り信号用モニタ端子）としても機能させることができ、専用の上り信号用モニタ端子（又は、下り信号用モニタ端子）を省略することができる。
【図面の簡単な説明】
【図１】  本発明の第１の実施形態に係る双方向増幅器１の構成図。
【図２】  本発明の第２の実施形態に係る双方向増幅器１の構成図。
【図３】  従来の双方向増幅器２１の構成図。
【符号の説明】
１，２１：双方向増幅器、
２ａ，２２ａ：上り信号出力側の信号入出力端子、
２ｂ，２２ｂ：下り信号出力側の信号入出力端子、
３ａ，２３ａ：上り信号出力側の分波フィルタ、
３ｂ，２３ｂ：下り信号出力側の分波フィルタ、
４，２４：上り信号用増幅ユニット、
５，２５：下り信号用増幅ユニット、
６ａ，２６ａ：上り信号用モニタ端子、
６ｂ，２６ｂ：下り信号用モニタ端子、
７：スイッチ、
７ａ，７ｂ：接片、
８：測定端子、
９：分岐線、
１０：分岐側接点、
１１：主経路側接点、
【図１】
0003927047.tif 000002
【図２】
0003927047.tif 000003
【図３】
0003927047.tif 000004